(57)【要約】      （修正有）【課題】フレキシブルな髪留め本体に髪束を通し並びに結束挟持するためのクローズド開口上の結束エリアを形成し、スピーディーに長髪の髪束を該結束エリア内に侵入させられ、操作が簡便である髪留めを提供する。【解決手段】本髪留めは、頭髪を束ねるためのフレキシブルな髪留め本体１と、該髪留め本体の両端に設けられた挟持部を有し、該髪留め本体の結束エリア１１内側面周縁に、複数の柱状歯部が設けられ、使用時には、長髪の髪束を結束エリアに進入させ、さらにフレキシブルな髪留め本体を下或いは内向きに巻いて、長髪の髪束を後側頭髪と後頸部間の位置に進入させ、並びにこれら柱状歯部で頭髪を結束エリア内に平均分布させ、並びに頭髪が左右に滑らないようにし、さらに、フレキシブルな髪留め本体両端の挟持部１２によりそれぞれ両側を挟持し、フレキシブルな髪留め本体を位置決めし、こうして長髪を短髪のように見せるヘアアレンジの目的を達成する。【選択図】図１
0003171838.tif 000002
【実用新案登録請求の範囲】
【請求項１】
髪留めにおいて、長細い框ストリップで構成されたフレキシブルな髪留め本体を有し、該フレキシブルな髪留め本体の両端それぞれに挟持部が設けられ、該フレキシブルな髪留め本体の該框ストリップ内に、髪束を通して結束するための結束エリアが形成され、該フレキシブルな髪留め本体の該結束エリアの上下の框ストリップの背側面周縁に、複数の柱状歯部が設けられ、長髪の髪束を該結束エリアに通してから、該フレキシブルな髪留め本体を下或いは内向きに巻いて該髪束を後側頭髪と後頸部間の位置において、これら柱状歯部により該髪束を平均して該結束エリア内に分布させると共に、頭髪を左右滑動させず、さらに該フレキシブルな髪留め本体の両端の挟持部で両側の頭髪を挟持して該フレキシブルな髪留め本体を位置決めでき、長髪をアレンジして短髪のように見せることができることを特徴とする、髪留め。
【請求項２】
請求項１記載の髪留めにおいて、該挟持部は弾性外框を具え、該弾性外框の中央孔部に、一端に係止端を具えた弾性挟持中片が設けられ、該弾性外框の該中央孔部の一端に、該弾性挟持中片の係止端と係合する係止部が設けられ、頭髪を該弾性外框の中央孔部と該弾性挟持中片の間に挿入し、該弾性挟持中片の端部を該弾性外框の中央孔部に向けて折り曲げ並びに中央孔部に通した後に、該弾性挟持中片の係止端を該弾性外框の係止部と係合させることで、頭髪を確実に結束位置決めでき、結束後の脱落を防止することを特徴とする、髪留め。
【請求項３】
請求項１記載の髪留めにおいて、該挟持部とフレキシブルな髪留め本体はプラスチック一体成形されたことを特徴とする、髪留め。
【考案の詳細な説明】
【技術分野】
【０００１】
本考案は一種の髪留めに係り、特に、頭髪を束ねるためのフレキシブルな髪留め本体と、該髪留め本体の両端に設けられた挟持部を有し、該髪留め本体の結束エリア内側面周縁に、複数の柱状歯部が設けられ、使用時には、長髪の髪束を結束エリアに進入させ、さらにフレキシブルな髪留め本体を下或いは内向きに巻いて、長髪の髪束を後側頭髪と後頸部間の位置に進入させ、並びにこれら柱状歯部で頭髪を結束エリア内に平均分布させ、並びに頭髪が左右に滑らないようにし、さらに、フレキシブルな髪留め本体両端の挟持部によりそれぞれ両側の挟持し、フレキシブルな髪留め本体を位置決めし、こうして長髪を短髪のように見せるヘアアレンジの目的を達成する髪留めの設計に関する。
【背景技術】
【０００２】
本考案者は特許文献１の髪留めを提供しており、それは、髪留め本体の一端に開口を有し、該開口のうち一つの挟持腕の端部に、挟持ヘッドを具えた係止柱が設けられ、もう一側の挟持腕の該係止柱に対応する位置に、該係止柱に係合する係止孔が設けられ、使用時には、フレキシブルな髪留め本体の該開口に長髪の髪束を結束エリアに進入させ、さらにそのうち一つの挟持腕端部の係止柱をもう一つの挟持腕の係止孔に係合させ、頭髪結束を完成し、並びに、髪留め本体両端の挟持部により両側の頭髪を挟持し、髪留め本体を位置決めすることで、長髪をヘアアレンジして短髪のように見せる目的を達成し、そのうち挟持部は弾性外框片を包含し、その中央孔部に弾性中挟持片が設けられ、使用時には、弾性外框片を一側に向けて曲げてそれを弾性中挟持片と分離させ、反対の場合は、それを折り曲げて弾性外框片と弾性中挟持片と係合させて、頭髪を挟持する目的を達成する。
【０００３】
しかし、前述の周知の設計は、以下のような欠点があった。
１．使用時に、フレキシブルな髪留め本体の開口より髪束を結束エリアに進入させ、さらにそのうち一つの挟持腕の端部の係止柱をもう一つの挟持腕の係止孔に係合させることで、頭髪の結束を完成するが、使用時に操作に不便であった。
２．挟持部が弾性外框片と弾性中挟持片で構成され、弾性中挟持片の弾力によってのみ挟持作用を構成するため、挟持力が不足し、ゆるんで脱落しやすい。
【先行技術文献】
【特許文献】
【０００４】
【特許文献１】台湾実用新案出願第９９２１８７４２号明細書
【考案の概要】
【考案が解決しようとする課題】
【０００５】
本考案の主要な目的は、フレキシブルな髪留め本体に髪束を通し並びに結束挟持するためのクローズド開口状の結束エリアを形成し、スピーディーに長髪の髪束を該結束エリア内に進入させられ、操作が簡便である髪留めを提供することにある。
【０００６】
本考案の次の目的は、挟持部の弾性外框に係止部を設けて、弾性挟持中片の係止端と係合させることで、頭髪を確実に挟持して脱落させない髪留めを提供することにある。
【課題を解決するための手段】
【０００７】
請求項１の考案は、髪留めにおいて、長細い框ストリップで構成されたフレキシブルな髪留め本体を有し、該フレキシブルな髪留め本体の両端それぞれに挟持部が設けられ、該フレキシブルな髪留め本体の該框ストリップ内に、髪束を通して結束するための結束エリアが形成され、該フレキシブルな髪留め本体の該結束エリアの上下の框ストリップの背側面周縁に、複数の柱状歯部が設けられ、長髪の髪束を該結束エリアに通してから、該フレキシブルな髪留め本体を下或いは内向きに巻いて該髪束を後側頭髪と後頸部間の位置において、これら柱状歯部により該髪束を平均して該結束エリア内に分布させると共に、頭髪を左右滑動させず、さらに該フレキシブルな髪留め本体の両端の挟持部で両側の頭髪を挟持して該フレキシブルな髪留め本体を位置決めでき、長髪をアレンジして短髪のように見せることができることを特徴とする、髪留めとしている。
請求項２の考案は、請求項１記載の髪留めにおいて、該挟持部は弾性外框を具え、該弾性外框の中央孔部に、一端に係止端を具えた弾性挟持中片が設けられ、該弾性外框の該中央孔部の一端に、該弾性挟持中片の係止端と係合する係止部が設けられ、頭髪を該弾性外框の中央孔部と該弾性挟持中片の間に挿入し、該弾性挟持中片の端部を該弾性外框の中央孔部に向けて折り曲げ並びに中央孔部に通した後に、該弾性挟持中片の係止端を該弾性外框の係止部と係合させることで、頭髪を確実に結束位置決めでき、結束後の脱落を防止することを特徴とする、髪留めとしている。
請求項３の考案は、請求項１記載の髪留めにおいて、該挟持部とフレキシブルな髪留め本体はプラスチック一体成形されたことを特徴とする、髪留めとしている。
【考案の効果】
【０００８】
総合すると本考案は、使用が簡単で便利であり、長髪をアレンジして短髪のように見せる効果を達成する。
【図面の簡単な説明】
【０００９】
【図１】本考案の立体外観図である。
【図２】本考案の、髪束を髪留め本体の結束エリア内に挿入する時の実施例立体図である。
【図３】本考案の、髪束を髪留め本体の結束エリア内に挿入する時の実施例後面図である。
【図４】本考案の、髪留め本体を下（内）向きに巻いて長髪を巻いて後側頭髪と頸部間に位置させ、並びに両端の挟持部で挟持固定して頭髪をアレンジして短髪のように見せる実施例図である。
【図５】本考案の、髪留め本体両端の挟持部の弾性挟持中片と弾性外框の未係合時の実施例図である。
【図６】本考案の、髪留め本体両端の挟持部の弾性挟持中片と弾性外框の係合時の実施例図である。
【考案を実施するための形態】
【００１０】
図１、図２及び図３に示されるように、本考案の髪留めは、長細い枠棒で構成されたフレキシブルな髪留め本体１を有し、該フレキシブルな髪留め本体１の両端それぞれに、挟持部１２が設けられ、該フレキシブルな髪留め本体１の長細い枠棒内に、髪束２を通して挟持結束するための結束エリア１１が形成され、フレキシブルな髪留め本体１の結束エリア１１の上下の框ストリップ１１１の内側面周縁に、複数の柱状歯部１１２が設けられている。
【００１１】
使用時には、長髪の髪束２を結束エリア１１に進入させ、さらに、フレキシブルな髪留め本体１を下（内）向きに巻いて、長髪の髪束２を後側頭髪２１と後頸部間の位置に巻き込み、並びにこれら柱状歯部１１２により髪束２を平均して結束エリア１１内に分布させると共に、頭髪が左右に滑らないようにし、さらにフレキシブルな髪留め本体１の両端に設けられた挟持部１２でそれぞれ両側の頭髪２１を挟持し、フレキシブルな髪留め本体１を位置決めし、こうして長髪をアレンジして短髪のように見せる目的を達成する（図４のとおり）。
【００１２】
そのうち、該挟持部１２は、弾性外框１２１を包含し、その中央孔部１２２に、端部に係止端１２３１を具えた弾性挟持中片１２３が設けられ、該弾性外框１２１の中央孔部１２２の一端に、弾性挟持中片１２３の係止端１２３１と係合される係止部１２１１が設けられ、頭髪２１が弾性外框１２１の中央孔部１２２と弾性挟持中片１２３の間に挿入される時、弾性挟持中片１２３の端部が弾性外框１２１の中央孔部１２２に向けて折り曲げられ並びに中央孔部１２２に通された後、弾性挟持中片１２３の係止端１２３１が弾性外框１２１の係止部１２１１と係合されることで、頭髪が確実に結束位置決めされ、並びに結束後に脱落しないようにする目的を達成する（図５及び図６）。
【符号の説明】
【００１３】
１  髪留め本体
１１  結束エリア
１１１  框ストリップ
１１２  柱状歯部
１２  挟持部
１２１  弾性外框
１２１１  係止部
１２２  孔部
１２３  弾性挟持中片
１２３１  係止端
２  髪束
２１  頭髪
【図１】
0003171838.tif 000003
【図２】
0003171838.tif 000004
【図３】
0003171838.tif 000005
【図４】
0003171838.tif 000006
【図５】
0003171838.tif 000007
【図６】
0003171838.tif 000008